(57)【要約】【課題】流路切換用の切換レバーを操作した時に、水道水栓との締結部に無理な力が加わる事が無い給水継手を提供する。【解決手段】第１、第２の流出口６、７を有する給水継手本体２ａと、前記第１、第２の流出口６、７の流路を選択的に切換る切換レバー８と、水道水栓３に締結される締結部４、前記給水継手本体２ａを前記水道水栓３に保持させる補助バンド１８とを備えたもので、安価でかつ簡単な構成で、締結部４が樹脂材料等から形成され強度の弱い場合でも、また、分岐水栓を用いなくても、切換レバー８を操作した時に水道水栓３と給水継手２との締結部４に加わる荷重を低減することができ、締結部４のネジ部５のずるけを防げ、締結部４の割れ、水漏れ、外れを防止でき、給水継手２の設置性、使い勝手を良くすることができる。【選択図】図３
2006169823.tif 000002
【特許請求の範囲】
【請求項１】
複数の流出口を有する給水継手本体と、前記複数の流出口の流路を選択的に切換る切換手段と、水道水栓に締結される締結部と、前記給水継手本体を前記水道水栓に保持させる補助部材とを備えた給水継手。
【請求項２】
補助部材で、給水継手全体の荷重を受けるようにした請求項１に記載の給水継手。
【請求項３】
補助部材を、給水継手本体と水道水栓に巻回して、前記給水継手本体を前記水道水栓に保持させるようにした請求項１又は２に記載の給水継手。
【請求項４】
補助部材をリング状に形成し、前記補助部材の一端を給水継手本体の底面に、他端を水道水栓の上面に夫々引っ掛けて前記給水継手本体を前記水道水栓に保持させるようにした請求項１又は２に記載の給水継手。
【請求項５】
補助部材を帯状に形成し、前記補助部材の略中央部を水道水栓の上面に引っ掛け、両端部を給水継手本体の底部に取り付けて、前記給水継手本体を前記水道水栓に保持するようにした請求項１又は２に記載の給水継手。
【請求項６】
給水継手本体の流出口に脱着される浄水器を、水道水栓に保持させるための補助部材を備えた請求項１〜５のいずれかの１項に記載の給水継手。
【発明の詳細な説明】
【技術分野】
【０００１】
本発明は、整水器や浄水器等の水使用機器と水道水栓とを連結する給水継手に関するものである。
【背景技術】
【０００２】
従来の、整水器や浄水器等の水使用機器との接続に使用される給水継手について、図６を用いて説明する。
【０００３】
図６において、アルカリ整水器などの水使用機器１に用いられる給水継手２は、水道水栓３の蛇口３ａと給水継手２に設けた締結部４により締結されている。なお、本従来例における給水継手２とは、水道水栓３の蛇口３ａに直接しかも簡単に取付けられる簡易な形状の分岐水栓のことをいう。この給水継手２と水道水栓３の蛇口３ａの締結方法は、それぞれの締結部４に設けられたネジ部５で固定する方法が一般的である。近年、この締結部４は、樹脂材料で形成されている物が多くなっている。また、給水継手２は、水使用機器１と締結される複数の第１の流出口６と、第２の流出口７で構成されている。
【０００４】
また、別手段として、図７に示されるような、食器洗い機などに良く用いられる分岐水栓９などを用いることも多い（例えば、特許文献１参照）。
【特許文献１】特開２００３−７９５５８号公報
【発明の開示】
【発明が解決しようとする課題】
【０００５】
しかしながら、従来の給水継手では、給水継手２の第１、第２の流出口６、７用の流路を切換るために切換レバー８を操作する度に、締結部４に大きな荷重が加わる。また、使用者が誤って給水継手本体２ａに無理な力をかけることもある。それ故、締結部４のネジ部５がずるけたり、締結部４に割れが生じたりして、締結部４から水漏れしたり、締結部４が外れるといった課題があった。
【０００６】
この課題を解決するために、アルカリ整水器１などの各種の水使用機器は、締結部４が樹脂材料の場合は、取扱説明書などで、「給水継手を使用しないで下さい。」といった注意を喚起したりしていたが、十分ではなかった。
【０００７】
また、図７に示されるような分岐水栓９を用いる方法は、水道水栓３毎に、適合したものが必要であり、また、専門家による取り付け工事も必要で、費用も多くかさむといった課題があった。
【０００８】
本発明は、上記従来の課題を解決するもので、簡単な構成で、水道水栓と給水継手の締結部に加わる荷重を低減して、締結部を保護することができる給水継手を提供することを目的としている。
【課題を解決するための手段】
【０００９】
上記従来の課題を解決するために、本発明の給水継手は、複数の流出口を有する給水継手本体と、前記複数の流出口の流路を選択的に切換る切換手段と、水道水栓に締結される締結部と、前記給水継手本体を前記水道水栓に保持させる補助部材とを備えたもので、安価でかつ簡単な構成で、締結部が樹脂材料等の強度の弱い場合でも、また、分岐水栓を用いなくても、給水継手の流路を切換るために切換レバーを操作した時の水道水栓と給水継手の締結部に加わる荷重が、補助バンドにより低減され、締結部のネジ部のずるけ、割れ、水漏れを防止し、さらに締結部が外れるのを防止でき、給水継手の設置性、使い勝手を良くすることができる。
【発明の効果】
【００１０】
本発明の給水継手は、分岐水栓を用いなくても、簡単な方法で、給水継手の流路を切換るために切換レバーを操作した時や、使用者が誤って給水継手本体に荷重を加えた時に給水継手の締結部に加わる荷重を低減して、締結部を保護し、締結部のネジ部のずるけ、割れや、締結部からの水漏れを防止し、さらに締結部が外れるのを防止でき、給水継手の設置性、使い勝手を良くすることができる。
【発明を実施するための最良の形態】
【００１１】
第１の発明は、複数の流出口を有する給水継手本体と、前記複数の流出口の流路を選択的に切換る切換手段と、水道水栓に締結される締結部と、前記給水継手本体を前記水道水栓に保持させる補助部材とを備えたもので、安価でかつ簡単な構成で、締結部が樹脂材料等の強度の弱い場合でも、また、分岐水栓を用いなくても、給水継手の流路を切換るために切換レバーを操作した時の水道水栓と給水継手の締結部に加わる荷重が、補助バンドにより低減され、締結部のネジ部のずるけ、割れ、水漏れを防止し、さらに締結部が外れるのを防止でき、給水継手の設置性、使い勝手を良くすることができる。
【００１２】
第２の発明は、特に、第１の発明の補助部材で、給水継手全体の荷重を受けるようにしたもので、給水継手の流路を切換るために切換レバーを操作したとき、締結部に荷重が加わらず、加わる荷重も、一緒に補助部材により水道水栓で受けることができるものである。
【００１３】
第３の発明は、特に、第１又は第２の発明の補助部材を、給水継手本体と水道水栓に巻回して、前記給水継手本体を前記水道水栓に保持させるようにしたもので、安価で、且つ簡単な構成で、水道水栓と給水継手の締結部に加わる荷重を低減し、締結部のネジ部のずるけ、割れを防ぎ、締結部からの水漏れや、締結部が外れるのを防止でき、給水継手の設置性、交換性、使い勝手を良くすることができる。
【００１４】
第４の発明は、特に、第１又は第２の発明の補助部材をリング状に形成し、前記補助部材の一端を給水継手本体の底面に、他端を水道水栓の上面に夫々引っ掛けて前記給水継手本体を前記水道水栓に保持させるようにしたもので、水道水栓に給水継手を保持させるのが、簡単にできるので、給水継手の水道水栓への取り付け、取り外しが簡単にでき、メンテナンスも容易である。
【００１５】
第５の発明は、特に、第１又は第２の発明の補助部材を帯状に形成し、前記補助部材の略中央部を水道水栓の上面に引っ掛け、両端部を給水継手本体の底部に取り付けて、前記給水継手本体を前記水道水栓に保持するようにしたもので、給水継手の水道水栓への取り付け、取り外しが簡単にでき、メンテナンスも容易である。
【００１６】
第６の発明は、特に、第１〜５のいずれか１つの発明の給水継手本体の流出口に脱着される浄水器を、水道水栓に保持させるための補助部材を備えたもので、給水継手と浄水器の締結部に加わる力を低減し、締結部での割れ、水漏れなどを防止することができる。
【００１７】
以下、本発明の実施の形態について、図面を参照しながら説明する。なお、この実施の形態により本発明が限定されるものではない。
【００１８】
（実施の形態１）
本発明の第１の実施の形態における給水継手について、食器洗い機を水道水栓に接続する場合を例にして説明する。図１は、本実施の形態における給水継手で水道水栓と食器洗い機とを接続した状態を示す斜視図、図２は、同食器洗い機の断面図、図３は、同給水継手の正面図と部分斜視図である。なお、上記従来例と同一部分については、同一符号を付してその説明を省略する。
【００１９】
図１、図２において、食器洗い機の本体３０は、内部に洗浄槽１０を配設し、洗浄槽１０内部に食器類１１をセットする食器カゴ１２が配設され、洗浄槽１０の内面底部に湯沸し用のヒータ１３と、回転自在で洗浄水を噴射する洗浄ノズル１４が配設されている。また、洗浄槽１０下部には、洗浄水を洗浄ノズル１４に圧送する洗浄ポンプ１５を配設している。
【００２０】
また、本体３０への給水は、水道水栓３に締結された給水継手２から水を分岐させ、本体３０に設けた給水弁１６を開閉することにより、水または湯を供給するようにしている。給水継手２と給水弁１６とは、給水ホース１７で接続されている。
【００２１】
また、図３に示すように給水継手２の給水継手本体２ａは、第１の流出口６と第２の流出口７の複数の流出口と、第１の流出口６と第２の流出口７の流路を選択的に切換る切換手段となる切換レバー８と、水道水栓３の蛇口３ａに締結するためのネジ部５を有する締結部４とを備えている。１８は、帯状で、給水継手本体２ａに設けられ、給水継手本体２ａを水道水栓３に保持させるための補助部材となる補助バンドである。
【００２２】
なお、第１の流出口６は、洗浄槽１０に給水するための給水ホース１７と締結され、第２の流出口７は、水道水栓３の水を直接流出するためのものである。また、水道水栓３と給水継手２の締結部４は、双方に設けたネジ部５によって固定されている。
【００２３】
また、補助バンド１８は、図に示すように、給水継手２の荷重全体を支持するように、給水継手２の底面と水道水栓３の上面に巻回されている。
【００２４】
なお、補助部材８をリング状に形成し、前記補助部材８の一端を給水継手本体２ａの底面に、他端を水道水栓３の上面に夫々引っ掛けて前記給水継手本体２ａを前記水道水栓３に保持させるようにすれば、水道水栓３に給水継手２を保持させるのが、簡単にできるので、給水継手２の水道水栓３への取り付け、取り外しが簡単にでき、メンテナンスも容易になるものである。
【００２５】
なお、補助バンド１８は１本でも良いが、本実施の形態では２本用いている。
【００２６】
上記構成による給水継手２の動作を説明する。水道水栓３に締結された給水継手２の切換レバー８を操作して流路を第１の流出口６側に切換えて、水道水栓３を開け、第１の流出口６から給水ホース１７を通じて、洗浄槽１０内に給水する。洗浄槽１０内に給水完了後は、ヒータ１３によって洗浄水が加熱され、洗浄ポンプ１５を駆動することによって、洗浄ノズル１４から、温水が噴射され、食器カゴ１２にセットされた食器類１１の洗浄を行う。運転終了後は、水道水栓３を閉める。
【００２７】
食器洗い機の本体３０への給水のために、給水継手２の流路を第１の流出口６側に切換るために切換レバー８を操作した時、本体３０に設けられた給水弁１６が閉じられていると、給水継手２に下向きの荷重がかかるが、給水継手２の下部に引き回した補助バンド１８に力がかかるので、締結部４のネジ部５に加わる荷重が低減され、給水継手本体２ａの荷重と一緒に、補助バンド１８により水道水栓３で受けることができる。
【００２８】
これにより、給水継手２と水道水栓３の締結部４のネジ部５に荷重は加わらない。故に、簡単な構成で、締結部４のネジ部５のずるぬけを防げ、締結部４の割れを防げ、締結部４からの水漏れや、締結部４が外れることを防止でき、給水継手２の設置性、使い勝手を良くすることができる。
【００２９】
（実施の形態２）
図４は、本発明の第２の実施の形態における給水継手２の締結部の正面図及び部分斜視図である。なお、上記第１の実施の形態と同一部分については、同一符号を付してその説明を省略する。
【００３０】
図４に示すように、本実施の形態は、水道水栓３と給水継手２を締めつけて、給水継手２を水道水栓３に保持させるための補助部材である補助バンド１９を帯状に形成し、補助バンド１９の一端を、給水継手本体２ａの下部の一側にピン２０で固定又は係止した後、補助バンド１９を図に示すように、水道水栓３上に引き回し、さらに他端を、給水継手本体２ａの下部の他側にピン２０で係止するようにしたものである。なお、補助バンド１９は１本でも良いが、本実施の形態では、補助バンド１９を２本用い、２本とも給水継手本体２ａ下部に、ピン２０で固定している。
【００３１】
以上のように、本実施の形態によれば、補助バンド１９の片方の一端を給水継手本体２ａ下部に、ピン２０などで固定し、もう片方の端を水道水栓３上に引き回し、水道水栓３に掛けた後、同じくピン２０で、給水継手本体２ａの下部に係止することにより、実施の形態１と同じく、給水継手２の流路を第１の流出口６側に切り換えて食器洗い機の本体３０への給水を行なうために、切換レバー８を操作しても、補助バンド１９により、締結部４のネジ部５に荷重は加わらず、給水継手本体２ａの荷重と一緒に、水道水栓３で受けることができるものである。
【００３２】
しかも、補助バンド１９を給水継手本体２ａにピン２０で固定することにより、簡単にしかも使用者の補助バンド１９の取り付け方によるバラツキを防げるので、確実に、補助バンド１９で、締結部４に加わる荷重を受けることができるものである。これにより、給水継手２と水道水栓３の締結部４のネジ部５にも荷重は加わらない。故に、簡単な構成で、締結部４のネジ部５がずるけることがなく、また、締結部４の割れ、締結部４からの水漏れを防止し、また締結部４が外れることを防止でき、給水継手２の設置性、使い勝手を良くすることができる。
【００３３】
（実施の形態３）
図５は、本発明の第３の実施の形態における給水継手２の斜視図及び部分分解図である。なお、上記実施の形態と同一部分については、同一符号を付してその説明を省略する。
【００３４】
図５に示すように、本実施の形態では、給水継手本体２ａの流出口２１に着脱自在に浄水器２２を締結している。流出口２１と浄水器２２の締結は、それぞれの締結部２３に設けられたネジ部２４により固定されるもので、さらに前記浄水器２２を、水道水栓３にに保持させるための補助部材として補助バンド２５を設けている。補助バンド２５は、浄水器２２全体の荷重を受けるように下部に引き回し、水道水栓３にかけた構成にしている。なお、補助バンド２５は複数本でも良いが本実施の形態では１本で構成している。
【００３５】
以上のように、本実施の形態によれば、給水継手２の流出口２１に着脱自在に浄水器２２を設け、浄水器２２を水道水栓３に保持させる補助バンド２５を設けたことにより、上記第１、第２の実施の形態と同様の効果に加え、給水継手２と浄水器２２の締結部２３にも荷重が加わらないようにでき、この締結部２３のネジ部２４のずるけを防ぎ、締結部２３での割れ、水漏れ、締結部２３が外れることを防止できる。即ち、本実施の形態では、２箇所の締結部４、２３に対して有効である。よって、給水継手２の設置性、使い勝手を益々良くすることができる。
【産業上の利用可能性】
【００３６】
以上のように、本発明の給水継手は、補助部材を用いるという簡単な方法で、給水継手の流路を切換るために切換レバーを操作した時や、使用者が誤って給水継手に力を加えた時に水道水栓と給水継手の締結部に加わる荷重を低減し、締結部のネジ部のずるけ、割れ、締結部からの水漏れを防止し、締結部が外れることを防止でき、設置性、使い勝手が良いもので、各種の水使用機器を接続する給水継手に適用できる。
【図面の簡単な説明】
【００３７】
【図１】本発明の実施の形態１における給水継手で食器洗い機と水道水栓とを接続した状態を示す斜視図
【図２】同食器洗い機の断面図
【図３】（ａ）同給水継手の正面図（ｂ）同給水継手の部分斜視図（ｃ）同給水継手の部分分解図
【図４】（ａ）本発明の実施の形態２における給水継手の正面図（ｂ）同給水継手の部分斜視図
【図５】（ａ）本発明の実施の形態３における給水継手の設置時の斜視図（ｂ）同給水継手の部分分解図
【図６】（ａ）従来の給水継手の設置状態を示す斜視図（ｂ）同給水継手の締結部の分解図
【図７】従来の給水継手の他の例（分岐水栓）を示す斜視図
【符号の説明】
【００３８】
２    給水継手
２ａ  給水継手本体
３    水道水栓
４    締結部
５    ネジ部
６    第１の流出口（流出口）
７    第２の流出口（流出口）
８    切換レバー（切換手段）
１８、１９、２５  補助バンド（補助部材）
【図１】
2006169823.tif 000003
【図２】
2006169823.tif 000004
【図３】
2006169823.tif 000005
【図４】
2006169823.tif 000006
【図５】
2006169823.tif 000007
【図６】
2006169823.tif 000008
【図７】
2006169823.tif 000009